(57)【要約】【課題】  従来の周波数変換装置よりもその重量や、消費電力を削減した周波数変換装置を提供する。【解決手段】  搬送波周波数が等間隔で、キャリア数がｎのマルチキャリア信号入力し、ｎ個の同一搬送波周波数のシングルキャリア信号を出力する周波数変換装置であり、入力信号をｍ個に分配し周波数変換して出力する手段と、前記手段からの信号それぞれを、ｓ個（ｓはｎ／ｍ以上）に分配してｓ×ｍ個の信号を出力する分配手段と、ｓ×ｍ個の信号のうち、ｎ個の信号を周波数変換しマルチキャリア信号の１番目からｎ番目のキャリアが同一周波数である信号を出力する周波数変換手段と、周波数変換手段からのｎ個の信号を濾波して出力するフィルタ手段とを有し、周波数変換手段は、ｎ個のミキサと、ミキサに周波数変換のための信号を供給するｎ−ｍ−１個以下の局部発振器とを備える。【選択図】  図３
2006295296.tif 000002
【特許請求の範囲】
【請求項１】
搬送波周波数が等間隔で、キャリア数がｎ（ｎは２以上の自然数）のマルチキャリア信号を入力端子から入力し、マルチキャリ信号の１番目からｎ番目のキャリアを、ｎ個の同一搬送波周波数のシングルキャリア信号に変換して出力端子から出力する周波数変換装置であって、
入力端子から入力される信号をｍ個（ｍ＜ｎ：ｍは２以上の自然数）に分配して出力する第１の分配手段と、
第１の分配手段からのｍ個の信号を周波数変換して出力する第１の周波数変換手段と、
第１の周波数変換手段からのｍ個の信号それぞれを、ｓ個（ｓはｎ／ｍ以上の自然数）に分配して出力する第２の分配手段と、
第２の分配手段からのｓ×ｍ個の信号のうち、ｎ個の信号を周波数変換して、マルチキャリア信号の１番目からｎ番目のキャリアが同一周波数である、ｎ個のマルチキャリア信号を出力する第２の周波数変換手段と、
所定の周波数帯域を通過帯域とし、第２の周波数変換手段からのｎ個の信号それぞれを濾波して出力端子に出力するフィルタ手段と、
を有し、
第１の周波数変換手段は、ｍ個の第１のミキサと、各第１のミキサに対応して設けられ、対応する第１のミキサに周波数変換のための信号を供給する第１の局部発振器とを備え、
第２の周波数変換手段は、ｎ個の第２のミキサと、第２のミキサに周波数変換のための信号を供給するｎ−ｍ−１個以下の第２の局部発振器とを備えること、
を特徴とする周波数変換装置。
【請求項２】
１以上の第１の局部発振器が、第２のミキサにも周波数変換のための信号を供給することを特徴とする請求項１に記載の周波数変換装置。
【請求項３】
第１の分配手段、第１の周波数変換手段及び／又は第２の分配手段は、その出力信号の不要周波数成分を除去する手段も備えることを特徴とする請求項１又は２に記載の周波数変換装置。
【請求項４】
搬送波周波数が等間隔で、キャリア数がｎ（ｎは２以上の自然数）のマルチキャリア信号を入力端子から入力し、マルチキャリ信号の１番目からｎ番目のキャリアを、ｎ個の同一搬送波周波数のシングルキャリア信号に変換して出力端子から出力する周波数変換装置であって、
入力端子から入力される信号をｍ個（ｍ＜ｎ：ｍは２以上の自然数）に分配して出力する第１の分配手段と、
第１の分配手段からのｍ個の信号を周波数変換して出力する第１の周波数変換手段と、
第１の周波数変換手段からのｍ個の信号を入力とし、入力された信号それぞれを分配して周波数変換を行う構成を複数回繰り返して、マルチキャリア信号の１番目からｎ番目のキャリアが同一周波数である、ｎ個のマルチキャリア信号を出力する分配変換手段と、
所定の周波数帯域を通過帯域とし、分配変換手段からのｎ個の信号それぞれを濾波して出力端子に出力するフィルタ手段と、
を有し、
第１の周波数変換手段は、ｍ個の第１のミキサと、各第１のミキサに対応して設けられ、対応する第１のミキサに周波数変換のための信号を供給する第１の局部発振器とを備え、
分配変換手段は、周波数変換を行うために、第２のミキサと、第２のミキサに周波数変換のための信号を供給するｎ−ｍ−１個以下の第２の局部発振器とを備えること、
を特徴とする周波数変換装置。
【請求項５】
請求項１から４に記載の周波数変換装置による周波数変換方法であって、
出力端子から、ｎ以下のシングルキャリア信号を入力して、入力端子からマルチキャリア信号を出力することを特徴とする周波数変換方法。
【発明の詳細な説明】
【技術分野】
【０００１】
本発明は、通信システムにおける周波数変換に関し、特にマルチキャリア信号をシングルキャリア信号に変換する過程で行う周波数変換術に関する。
【背景技術】
【０００２】
非特許文献１には、マルチビーム衛星通信システムについて記載がされている。非特許文献１によると、マルチビーム衛星通信システムの基地局と通信衛星間の、いわゆる、フィーダリンクに対しては、ビーム多重方式とクラスタ多重方式を適用可能である。ここで、ビーム多重化方式とは、同一周波数帯域のキャリアを同一周波数軸上で並べたマルチキャリア信号をフィーダリンクに適用する方式である。
【０００３】
通信衛星からユーザ局への、いわゆる、サービスリンクにシングルキャリア信号を使用する場合、通信衛星には、マルチキャリア信号を入力として、マルチキャリア信号のキャリア数と同数のシングルキャリア信号に周波数変換を行う周波数変換装置を搭載する必要がある。
【０００４】
図１は、マルチキャリア信号を入力信号として、マルチキャリア信号のキャリア数と同数で、それぞれが同一の搬送波周波数を有するシングルキャリア信号に変換を行う周波数変換装置を説明する図である。
【０００５】
図１（ａ）に示すように、従来技術による周波数変換装置は、分配部１と、周波数変換部７と、フィルタ４とを有する。
【０００６】
周波数変換装置の入力端子５から入力される、図１（ｂ）に示すキャリア数がｎ（ｎは２以上の自然数）のマルチキャリア信号を、分配部１はｎ個に分配して、それぞれを周波数変換部７に入力する。
【０００７】
周波数変換部７は、入力信号の周波数を、他の周波数に変換して出力する機能を有する。図２は、周波数変換部７のブロック図である。図２に示すように周波数変換部７は、ミキサ２と、局部発振器３とを有し、ミキサ２は、周波数変換部７の入力信号と、局部発振器３が出力する正弦波信号を乗算して、周波数変換部７の入力信号の周波数と、局部発振器３が出力する正弦波信号の周波数の差又は和の周波数を有する信号の出力を行う。
【０００８】
各キャリアの間隔をΔｆとすると、各周波数変換部７の局部発振器の周波数をΔｆだけずらすことで、１番目の周波数変換部７が出力するマルチキャリア信号のキャリアｃ１が位置する周波数に、ｎ番目の周波数変換部７が出力するマルチキャリア信号のキャリアｃｎが位置するように周波数変換を行うことができる。
【０００９】
各周波数変換部７で上述したように周波数変換された信号は、フィルタ４で濾波され、図１（ｃ）に示す同一搬送波周波数のシングルキャリア信号ｃ１〜ｃｎを、それぞれの出力端子６から出力することができる。
【００１０】
【非特許文献１】中須賀  好典、三次  仁、上羽  正純、“将来移動体衛星通信システムにおける衛星搭載帯域可変フィルタ規模に関する一検討”、電子情報通信学会総合大会、Ｂ−３−１５、ｐｐ３４３、２００４年
【発明の開示】
【発明が解決しようとする課題】
【００１１】
上述したように、従来技術による周波数変換装置においてはマルチキャリ数と同数の局部発振器３を必要とするため、周波数変換装置の回路規模はキャリア数に比例して大きくなり、それに応じて重量や、消費電力も増大してしまう。しかしながら、マルチビーム衛星通信システムにおいて、基地局から通信衛星へのフィーダリンクにマルチキャリア信号を、通信衛星からユーザ局へのサービスリンクにシングルキャリア信号を使用する場合、通信衛星が搭載する周波数変換装置の重量や、消費電力は低い程好ましい。
【００１２】
従って、本発明は、従来の周波数変換装置よりも、使用する局部発振器３を削減した周波数変換装置及び方法を提供することを目的とする。
【課題を解決するための手段】
【００１３】
本発明における周波数変換装置によれば、
搬送波周波数が等間隔で、キャリア数がｎ（ｎは２以上の自然数）のマルチキャリア信号を入力端子から入力し、マルチキャリ信号の１番目からｎ番目のキャリアを、ｎ個の同一搬送波周波数のシングルキャリア信号に変換して出力端子から出力する周波数変換装置であって、入力端子から入力される信号をｍ個（ｍ＜ｎ：ｍは２以上の自然数）に分配して出力する第１の分配手段と、第１の分配手段からのｍ個の信号を周波数変換して出力する第１の周波数変換手段と、第１の周波数変換手段からのｍ個の信号それぞれを、ｓ個（ｓはｎ／ｍ以上の自然数）に分配して出力する第２の分配手段と、第２の分配手段からのｓ×ｍ個の信号のうち、ｎ個の信号を周波数変換して、マルチキャリア信号の１番目からｎ番目のキャリアが同一周波数である、ｎ個のマルチキャリア信号を出力する第２の周波数変換手段と、所定の周波数帯域を通過帯域とし、第２の周波数変換手段からのｎ個の信号それぞれを濾波して出力端子に出力するフィルタ手段とを有し、第１の周波数変換手段は、ｍ個の第１のミキサと、各第１のミキサに対応して設けられ、対応する第１のミキサに周波数変換のための信号を供給する第１の局部発振器とを備え、第２の周波数変換手段は、ｎ個の第２のミキサと、第２のミキサに周波数変換のための信号を供給するｎ−ｍ−１個以下の第２の局部発振器とを備えることを特徴とする。
【００１４】
本発明の周波数変換装置における他の実施形態によれば、
１以上の第１の局部発振器が、第２のミキサにも周波数変換のための信号を供給することも好ましい。
【００１５】
また、本発明の周波数変換装置における他の実施形態によれば、
第１の分配手段、第１の周波数変換手段及び／又は第２の分配手段は、その出力信号の不要周波数成分を除去する手段も備えることが好ましい。
【００１６】
更に、本発明の周波数変換装置における他の実施形態によれば、
搬送波周波数が等間隔で、キャリア数がｎ（ｎは２以上の自然数）のマルチキャリア信号を入力端子から入力し、マルチキャリ信号の１番目からｎ番目のキャリアを、ｎ個の同一搬送波周波数のシングルキャリア信号に変換して出力端子から出力する周波数変換装置であって、入力端子から入力される信号をｍ個（ｍ＜ｎ：ｍは２以上の自然数）に分配して出力する第１の分配手段と、第１の分配手段からのｍ個の信号を周波数変換して出力する第１の周波数変換手段と、第１の周波数変換手段からのｍ個の信号を入力とし、入力された信号それぞれを分配して周波数変換を行う構成を複数回繰り返して、マルチキャリア信号の１番目からｎ番目のキャリアが同一周波数である、ｎ個のマルチキャリア信号を出力する分配変換手段と、所定の周波数帯域を通過帯域とし、分配変換手段からのｎ個の信号それぞれを濾波して出力端子に出力するフィルタ手段とを有し、第１の周波数変換手段は、ｍ個の第１のミキサと、各第１のミキサに対応して設けられ、対応する第１のミキサに周波数変換のための信号を供給する第１の局部発振器とを備え、分配変換手段は、周波数変換を行うために、第２のミキサと、第２のミキサに周波数変換のための信号を供給するｎ−ｍ−１個以下の第２の局部発振器とを備えることを特徴とする。
【００１７】
本発明における周波数変換方法によれば、
前記周波数変換装置による周波数変換方法であって、
出力端子から、ｎ以下のシングルキャリア信号を入力して、入力端子からマルチキャリア信号を出力することを特徴とする。
【発明の効果】
【００１８】
ミキサに供給する周波数変換のための信号を共用することが可能となり、必要となる局部発振器の数を削減できる。本発明は、衛星搭載用の周波数変換装置といった、重量・消費電力の削減が、特に望まれる機器に適したものである。
【発明を実施するための最良の形態】
【００１９】
本発明を実施するための最良の実施形態について、以下では図面を用いて詳細に説明する。
【００２０】
図３は、本発明による周波数変換装置の第１実施形態のブロック図である。図３によると、本発明による周波数変換装置は、１段目の分配部１１と、１段目のミキサ２１と、１段目の局部発振器３１と、２段目の分配部１２と、２段目のミキサ２２、２段目の局部発振器３２と、フィルタ４とを有する。
【００２１】
図１（ｂ）は、入力端子５から入力されるキャリア数ｎ（ｎは２以上の自然数）のマルチキャリア信号を示し、各搬送波周波数は等間隔に配置され、その間隔をΔｆであるものとする。
【００２２】
分配部１１は、入力端子５から入力されるマルチキャリア信号を、ｍ（２≦ｍ＜ｎ）個に、好ましくはｎ−３以下で分配し、ｍ個のマルチキャリア信号のそれぞれを、ミキサ２１に入力する。
【００２３】
ｍ個のミキサ２１は、それぞれ、対応する局部発振器３１を有し、対応する局部発振器３１からの正弦波信号と、分配部１１から入力されるマルチキャリア信号を乗算して、和又は差成分を取り出すことで周波数変換を行う。ここで、ｉ番目（ｉ＝１〜ｍの整数）の局部発振器３１の発振周波数は、第１番目の局部発振器３１の発振周波数に対して、Δｆ×ｔ×ｉ（２≦ｔ≦ｎ-３）だけ正又は負側にずらした値とする。
【００２４】
上述した発振周波数を使用することにより、各ミキサ２１から出力されるマルチキャリア信号は、順にΔｆ×ｔづつ周波数がずれた信号となる。図４は、ｔ＝３とした場合のミキサ２１が出力するマルチキャリア信号を示す図である。図４の（ａ）は、１番目のミキサ２１の出力信号であり、（ｂ）は、２番目のミキサ２１の出力信号であり、（ｃ）は、ｍ番目のミキサ２１の出力信号である。図４に示すように、１番目のミキサ２１が出力するマルチキャリア信号のｋ番目のキャリアＣｋ（１≦ｋ≦ｎ）と、ｉ番目のミキサ２１が出力するマルチキャリア信号の（ｉ−１）×ｔ＋ｋ番目のキャリアとは同一周波数となる。
【００２５】
各ミキサ２１から出力されるマルチキャリア信号は、それぞれ、２段目の分配部１２に入力され、各分配部１２は、入力されるマルチキャリア信号を、ｓ（ｎ／ｍ≦ｓ≦ｎ−３）個に分配し、結果として得られるｍ×ｓ個のマルチキャリア信号のうち、ｎ個を、それぞれ、ミキサ２２に入力する。
【００２６】
ｎ個のミキサ２２は、局部発振器３２から入力される信号を用いて、分配部１２からのマルチキャリア信号の周波数を変換する。このとき、ｎ個のミキサ２２から出力されるマルチキャリア信号は、マルチキャリア信号の１番目からｎ番目のキャリアが同一周波数となるように周波数変換される。各ミキサ２２の出力は、対応するフィルタ４に入力される。ｎ個のフィルタ４の通過帯域は、それぞれ同一であり、前記同一周波数に配置された１番目からｎ番目のキャリアの周波数帯域である。各フィルタ４は、入力されるマルチキャリア信号から所定周波数、つまり前記通過帯域の１のキャリアのみを濾波してシングルキャリア信号を出力する。
【００２７】
このとき各ミキサ２２に正弦波を供給する局部発振器３２は、ミキサ２２毎に設ける必要はなく、１の局部発振器３２が複数のミキサ２２に、同一周波数の正弦波信号を供給して、同一搬送波周波数を有するシングルキャリア信号を取り出すことができる。
【００２８】
図５は、本発明の周波数変換の過程を説明する図である。ここでは、マルチキャリア数ｎを１６としている。尚、従来技術においては、局部発振器が１６個必要である。
【００２９】
（ａ）は、分配部１１でｍ＝４個に分配し、ミキサ２１において、ｔ＝４、すなわち、１番目のマルチキャリア信号を基準として４キャリアに相当する周波数帯域ずつ移動した４つのマルチキャリア信号を得て、それぞれを分配部１２の入力とし、分配部１２においてｓ＝４個に分配して、計１６個のマルチキャリア信号を得る場合の周波数変換を説明する図である。尚、ｓ＝４より、各分配部１２の出力信号は、シングルキャリア信号を取り出すために４回だけ使用できる。（ａ）の例で、１番目の分配部１２の出力マルチキャリア信号のＣ１と、２番目の分配部１２の出力マルチキャリア信号のＣ５と、３番目の分配部１２の出力マルチキャリア信号のＣ９と、４番目の分配部１２の出力マルチキャリア信号のＣ１３とは、同一周波数であるため、所定の周波数のシングルキャリア信号を得るためには、同一の正弦波信号と乗算すればよく、従って１の局部発信器３２をＣ１、５、９、１３の周波数変換のために設ければよい。同様に、Ｃ２、６、１０、１４と、Ｃ３，７，１１，１５と、Ｃ４、８、１２、１６とにも、それぞれ、１の局部発振器を設ければ良い。従って、１段目のミキサ２１のために局部発振器３１を４個、２段目のミキサ２２のために局部発振器３２を４個、全体で８個設ければ良く、従来の１６個の半分となる。
【００３０】
（ｂ）は、分配部１１でｍ＝４個に分配し、ミキサ２１において、ｔ＝３、すなわち、１番目のマルチキャリア信号を基準として３キャリアに相当する周波数帯域ずつ移動した４つのマルチキャリア信号を得て、それぞれを分配部１２の入力とし、分配部１２においてｓ＝４個に分配して、計１６個のマルチキャリア信号を得る場合の周波数変換を説明する図である。尚、ｓ＝４より、各分配部１２の出力信号は、シングルキャリア信号を取り出すために４回だけ使用できる。（ｂ）の例で、１番目の分配部１２の出力マルチキャリア信号のＣ２と、２番目の分配部１２の出力マルチキャリア信号のＣ５とは、同一周波数であるため、所定の周波数のシングルキャリア信号を得るためには、同一の正弦波信号と乗算すればよく、また、１番目の分配部１２の出力マルチキャリア信号のＣ３と、２番目の分配部１２の出力マルチキャリア信号のＣ６と、３番目の分配部１２の出力マルチキャリア信号のＣ９とは、同一周波数であるため、所定の周波数のシングルキャリア信号を得るためには、同一の正弦波信号と乗算すればよい。その他も同様であり、結局、Ｃ２、５と、Ｃ３、６、９と、Ｃ４、７、１０、１３と、Ｃ８、１１、１４と、Ｃ１２、１５には、それぞれ、１の局部発振器３２を設ければ良く、残りのＣ１と、Ｃ１６とを合わせて、２段目のミキサ２２には、合計で７個の局部発振器３２を設ければ良く、１段目の局部発振器３１の４個と合わせ、合計で１１個となり、従来技術の１６個より減らすことができる。
【００３１】
（ｃ）は、分配部１１でｍ＝３個に分配し、ミキサ２１において、ｔ＝６、すなわち、１番目のマルチキャリア信号を基準として６キャリアに相当する周波数帯域ずつ移動した３つのマルチキャリア信号を得て、それぞれを分配部１２の入力とし、分配部１２においてｓ＝６個に分配して、計１８個のマルチキャリア信号を得る場合の周波数変換を説明する図である。尚、ｓ＝６より、各分配部１２の出力信号は、シングルキャリア信号を取り出すために６回だけ使用できる。上述したのと同様の考え方により、２段目のミキサ２２には、合計で６個の局部発振器３２を設ければ良く、１段目の局部発振器３１の３個と合わせ、合計で９個となり、従来技術の１６個より減らすことができる。
【００３２】
キャリア数がｎで、第１段目の分配数をｍとする場合、例えば、第１段目の周波数変換が出力する各マルチキャリア信号の相対的なずれｔ及び第２段目の分配数ｓを、ｎ／ｍを切り上げた整数とすると、必要な局部発振器３１はｍ個で、局部発振器３２はｓ個となる（図５の（ａ）及び（ｃ））。また、ｍをｎの平方根を切り上げ又は切り下げた整数とすると、必要な局部発振器３１及び３２の合計は、凡そｎの平方根の２倍で最小となる（図５の（ａ））。しかし、それ以外の組み合せであっても従来技術より局部発振器数を削減可能である（図５の（ｂ））。
【００３３】
図６は、実施形態１による局部発振器の削減効果を説明する図である。図６の横軸は、従来の周波数変換部７の重量・消費電力における局部発振器の占める割合であり、縦軸は、従来の周端数変換装置の重量・消費電力に対する本発明による周波数変換装置の割合を示す。例えば、従来の周波数変換装置の重量・消費電力における局部発振器の割合が半分を占めていれば、実施形態１の構成により約３割削減することが可能となる。
【００３４】
尚、図３において、ｍ個の１段目のミキサ２１と、ミキサ２１に対応して設けられる１段目の局部発振器３１が、１段目の周波数変換手段を構成し、ｎ個の２段目のミキサ２２と、ｎ−ｍ−１個以下の２段目の局部発振器３２が２段目の周波数変換手段を構成し、１段目の分配部１１が１段目の分配手段を構成し、ｍ個の２段目の分配部１２が２段目の分配手段を構成し、ｎ個のフィルタ４がフィルタ手段を構成する。
【００３５】
図７は、本発明による周波数変換装置の第２実施形態のブロック図である。図３に示す第１実施形態と比較すると、１以上の１段目の局部発振器３１を、ミキサ２２での周波数変換のためにも使用する構成としたものである。これにより、必要な局部発振器の総数を、第１実施形態での局部発振器の総数より、ミキサ２２に正弦波の供給を行う局部発振器３１の数だけ減らすことが可能となる。
【００３６】
図８は、本発明による周波数変換装置の第３実施形態のブロック図である。図３に示す第１実施形態と比較すると、１段目のミキサ２１と２段目の分配部１２との間に、不要な周波数成分を除去するためにフィルタ４を設けている点で異なる。フィルタによりミキサ２２での非線形性による他キャリアからの干渉成分を抑制でき、また、不要な信号成分の除去により扱う電力が小さくなるため消費電力の低減効果もある。尚、フィルタの配置位置は、図に示す１段目のミキサ２１と２段目の分配部１２との間以外にも、１段目の分配部１１の後や、２段目の分配部１２の後ろ、あるいは、それらの併用であっても良い。
【００３７】
図９は、本発明による周波数変換装置の第４実施形態のブロック図である。本実施形態は、図３に示す第１実施形態における２段目のミキサ２２の後段に、更に、３段目の分配部１３と、ミキサ２３と、ミキサ２３に正弦波信号を供給する局部発振器３３を設けたものである。本構成は、キャリア数が増大して、第１実施形態の構成の動作帯域を超えてしまうような、周波数帯域の入力信号を処理する場合に有効となる。尚、ミキサ及び局部発振器から構成される分配して変換する構成の段数は３段以上であってもよい。
【００３８】
本実施形態では、ｍ個の１段目のミキサ２１からの信号に対して、分配部での分配後にミキサによる周波数変換を行う構成を多段接続して、最後段に位置するミキサは、マルチキャリア信号の１番目からｎ番目のキャリアが同一周波数となるｎ個のマルチキャリア信号を出力する。
【００３９】
以上、入力信号をマルチキャリア信号とし、同一搬送波周波数のシングルキャリア信号を出力する例で説明を行ってきたが、本発明による周波数変換装置は、可逆性が成り立つため、複数の同一搬送波周波数のシングルキャリア信号を、出力端子６側から入力して、周波数軸上で等間隔に配置された、１のマルチキャリア信号を入力端子５から取り出すことも可能である。
【図面の簡単な説明】
【００４０】
【図１】従来技術による周波数変換装置及び入出力信号を示す図である。
【図２】周波数変換部のブロック図である。
【図３】本発明による周波数変換装置の第１実施形態のブロック図である。
【図４】ｔ＝３とした場合のミキサが出力するマルチキャリア信号を示す図である。
【図５】本発明の周波数変換の過程を説明する図である。
【図６】実施形態１による局部発振器の削減効果を説明する図である。
【図７】本発明による周波数変換装置の第２実施形態のブロック図である。
【図８】本発明による周波数変換装置の第３実施形態のブロック図である。
【図９】本発明による周波数変換装置の第４実施形態のブロック図である。
【符号の説明】
【００４１】
１、１１、１２、１３  分配部
２、２１、２２、２３  ミキサ
３、３１、３２、３３  局部発振器
４  フィルタ
５  入力端子
６  出力端子
７  周波数変換部
【図１】
2006295296.tif 000003
【図２】
2006295296.tif 000004
【図３】
2006295296.tif 000005
【図４】
2006295296.tif 000006
【図５】
2006295296.tif 000007
【図６】
2006295296.tif 000008
【図７】
2006295296.tif 000009
【図８】
2006295296.tif 000010
【図９】
2006295296.tif 000011